(57)【特許請求の範囲】
【請求項１】
キャップ及び本体を備える容器であって、
前記本体は、底と、本体壁の基端から本体壁の先端まで、前記底から延在する本体壁とを含み、
前記本体壁は、前記本体壁内に配置され、前記本体壁の先端近傍にある溝を有し、前記溝は、
床部と、
前記本体壁の先端近傍にある開口と、
第１の全高を有する上方内リムを含む内方壁と、
第２の全高を有する上方外リムを含む外方壁であって、前記第２の全高は前記第１の全高よりも大きい、外方壁と、
を有し、
前記溝は、前記容器が閉じた状態にあるとき、前記キャップの一部を受け入れるサイズとされ、
前記内方壁は連続面を画定し、前記本体壁の基端及び前記上方内リムの先端は前記連続面を通じて延在し、
前記溝のいかなる部分も前記連続面を分断しない、容器。
【請求項２】
前記キャップは、頭部と、前記頭部から延在するキャップ壁とを含み、前記本体壁の外装面及び前記キャップ壁の外装面は、前記本体壁及び前記キャップ壁の外装面に沿って連続して縦に延びる離間したアレートのセットを含むグリップ構造を有する、請求項１に記載の容器。
【請求項３】
前記キャップは、頭部と、キャップ壁と、突出端とを含み、前記キャップ壁は、前記頭部から延在し、前記突出端は、前記頭部と反対方向に前記キャップ壁から前記突出端の遠端まで延在し、前記突出端は、前記突出端の遠端の内周リップ近傍にキャップ内側面取り部を有し、前記突出端は、前記溝内に受け入れるキャップの一部である、請求項１に記載の容器。
【請求項４】
前記本体壁の外装面及び前記キャップ壁の外装面は、前記本体壁及び前記キャップ壁の外装面に沿って連続して縦に延びる離間したアレートのセットを含むグリップ構造を有する、請求項３に記載の容器。
【請求項５】
前記キャップは、前記キャップ壁の内部にあり、閉じた状態にあるとき前記頭部から前記本体に向かって延在する１つ以上のキャップ内突起を含む、請求項４に記載の容器。
【請求項６】
前記内方壁及び前記外方壁は、それぞれ、前記溝の床部と前記溝の開口との間を、単一の連弧状に延在する、請求項５に記載の容器。
【請求項７】
前記本体壁は、内側に空洞部を形成し、前記空洞部は、１つ以上の区画を有し、前記本体壁は、第１区画と前記本体の外装面との間の第１の厚さと、前記第１の厚さとは異なる、第２区画と前記本体の外装面との間の第２の厚さとを有する、請求項４に記載の容器。
【請求項８】
前記内方壁及び前記外方壁は、それぞれ、前記溝の床部と前記溝の開口との間を、単一の連弧状に延在する、請求項７に記載の容器。
【請求項９】
前記キャップは、頭部と、前記頭部から延在するキャップ壁とを含み、前記キャップは、前記キャップ壁内部にあり、閉じた状態にあるとき前記頭部から前記本体に向かって延在する１つ以上のキャップ内突起を含む、請求項１に記載の容器。
【請求項１０】
前記本体壁は、内側に空洞部を形成し、前記空洞部は、１つ以上の区画を有し、各区画
は、第１半径のチャンバ壁底部と、前記第１半径よりも大きな第２半径のチャンバ壁上部とを有し、前記チャンバ壁上部及び前記チャンバ壁底部は、銃弾の発射端がチャンバ壁底部で下に向かって延在するよう、浮いた状態で前記銃弾を入れるように適合され、それにより、前記発射端は、下方開放空間内に延在し、前記容器の一部にも接触しない、請求項９に記載の容器。
【請求項１１】
前記空洞部は、銃弾を各区画内に受け入れるとき、前記銃弾のケースの上方リムが、前記チャンバ壁上部の上方で、前記各区画の上方にある上方開放空間内に延在するよう、構成される、請求項１０に記載の容器。
【請求項１２】
各区画は、前記チャンバ壁上部と前記チャンバ壁底部との間に移行壁領域を含み、前記移行壁部は、前記第１半径より大きく前記第２半径より小さい第３半径を有する、請求項１０に記載の容器。
【請求項１３】
前記移行壁部は、平滑傾斜壁部と、前記チャンバ壁上部と前記平滑傾斜壁部との間にある第１丸みづけ縁と、前記平滑傾斜壁部と前記チャンバ壁底部との間にある第２丸みづけ縁とを有する、請求項１２に記載の容器。
【請求項１４】
前記キャップは、前記頭部と反対方向に前記キャップ壁から延在する突出端と、前記突出端の第１側面に配置される１つ以上の第１摩擦シーラーを含む、請求項９に記載の容器。
【請求項１５】
前記キャップは、前記第１側面の反対にある前記突出端の第２側面に配置される１つ以上の第２摩擦シーラーを含む、請求項１４に記載の容器。
【請求項１６】
前記１つ以上の第１摩擦シーラー及び前記１つ以上の第２摩擦シーラーは、そこから突出はしないが、前記溝の内方壁及び外方壁の各表面領域と接触する、請求項１５に記載の容器。
【請求項１７】
前記本体壁は、内側に空洞部を形成し、前記空洞部は、１つ以上の区画を有し、前記本体壁は、第１区画と前記本体の外装面との間の第１の厚さと、前記第１の厚さとは異なる、第２区画と前記本体の外装面との間の第２の厚さとを有する、請求項１に記載の容器。
【請求項１８】
前記キャップは、前記頭部と反対方向に前記キャップ壁から延在する突出端と、前記突出端の第１側面に配置される１つ以上の第１摩擦シーラーとを含む、請求項１７に記載の容器。
【請求項１９】
前記キャップは、前記第１側面の反対にある前記突出端の第２側面に配置される１つ以上の第２摩擦シーラーを含む、請求項１８に記載の容器。
【請求項２０】
前記１つ以上の第１摩擦シーラー及び前記１つ以上の第２摩擦シーラーは、前記容器が閉じた状態にあるとき、前記溝内で、摩擦密閉を形成する可撓性がある柔軟な外周突起部である、請求項１９に記載の容器。
【発明の詳細な説明】
【技術分野】
【０００１】
関連出願の相互参照
本願は、２０１４年１２月１６日出願の米国仮特許出願第６２／０９２，７４２号、及び２０１５年１月１５日出願の米国仮特許出願第６２／１０３，９８１号による優先権を主張し、これらの内容全てが参照により本明細書に援用される。
【０００２】
本願は、あらゆる目的のために、米国特許出願公開第２０１５／００２１２１６号、及び米国特許第９，０９０，３８５号を参照により本開示にさらに援用する。
【背景技術】
【０００３】
序論
本開示は、様々な用途の密閉可能容器に関するシステム及び方法に関する。人が物品の保護、整理、乾燥、及び携帯性を維持したいと望む状況は多い。キャンプ、釣り、又は狩猟などの湿潤した又は汚れた環境での野外活動及び作業活動では、そのような特徴を実現することができる容器が、例えば、弾薬又は着火剤を入れるのに有用となる多くの機会があるであろう。そのような容器は、日常生活においても、例えば、化粧品、画材、又はシガレット及びマッチを入れるのに有用ともなり得る。
【発明の概要】
【０００４】
本開示のシステム及び方法は、密閉可能容器に関することができよう。本開示の一実施形態の容器は、キャップと、本体とを含むことができよう。キャップは、上部と、上部から延在し、外周部を形成するキャップ壁と、上部と反対方向にキャップ壁から延在する突出端であって、外周部よりも小さいサイズの内周部を形成する突出端とを含むことができよう。本体は、底部と、本体壁の基端から本体壁の最外先端まで、底部から延在する本体壁であって、内側に空洞部を、外側に先端から最外先端まで実質的に一定のサイズを有し実質的に外周部と同じサイズの本体周縁部を形成する本体壁とを含むことができよう。本体は、最外先端の最外縁の周囲に形成される上方外リムと、最外先端の内縁の周囲に形成される上方内リムとをも含むことができよう。上方外リム及び上方内リムは、最外先端全体の周囲に配置することができ、上方外リムと上方内リムとの間に、容器が閉じた状態にあるとき摩擦密閉で突出端を受け入れるサイズの溝を有することができよう。
【０００５】
本開示の一実施形態の容器は、キャップと、本体とを含むことができよう。キャップは、キャップの下縁から延在するリッジを有することができよう。リッジは、リッジの外装側で、円周方向にリッジの周囲に配置される第１のシーラーのセットと、リッジの内装側で、円周方向にリッジの周囲に配置される第２のシーラーのセットとを有することができよう。本体は、本体の上方外リム近傍に溝を有することができ、溝は、溝の開口に配置されるガイドセットを有することができよう。容器は、ガイドにより誘導されてリッジが溝に挿入され、シーラーが溝の内装側と摩擦密閉を生じるよう、キャップが本体に置かれる、閉じた状態を有するように適合することができよう。
【０００６】
本開示の一実施形態の容器は、キャップと、本体とを含むことができよう。キャップは、上部と、上部から延在し、外周部を形成するキャップ壁と、上部とは反対方向にキャップ壁から延在する突出端であって、外周部よりも小さいサイズの内周部を形成する突出端とを含むことができよう。突出端は、突出端の第１側面に配置される１つ以上の第１摩擦シーラーと、第１側面の反対側にある突出端の第２側面に配置される１つ以上の第２摩擦シーラーとを有することができよう。本体は、底部と、本体壁の基端から本体壁の最外先端まで、底部から延在する本体壁であって、内側に空洞部を、外側に本体周縁部を形成する本体壁とを含むことができよう。本体周縁部は、先端から最外先端まで実質的に一定のサイズを有することができ、実質的に外周部と同じサイズとすることができよう。本体は、最外先端の最大縁の周囲に形成され、閉じていない状態から閉じた状態まで突出端を誘導するように適合された第１ガイドを有する上方外リムと、閉じていない状態から閉じた状態まで突出端を誘導するように適合された第２ガイドを有して、最外先端の最内縁の周囲に形成される方内リムとをも含むことができよう。上方外リム及び上方内リムは、最外先端全体の周囲に配置され、上方外リムと上方内リムとの間に溝を有することができよう。溝は、容器が閉じた状態にあるとき、摩擦密閉で突出端を受け入れるようなサイズとすることができよう。閉じた状態において、キャップ及び本体は、凹凸のない嵌合を形成することができ、空洞部は、防水性及び気密性とすることができよう。
【０００７】
一実施形態の容器は、キャップと、本体とを含むことができよう。本体は、底と、本体壁の基端から本体壁の先端まで、底から延在する本体壁とを含むことができよう。本体壁は、本体壁内に配置され、本体壁の先端近傍にある溝を有することができよう。溝は、床部と、本体壁の先端近傍にある開口部と、本体の底から第１距離に配置される上方内リムを含む内方壁と、本体の底から第２距離に配置される上方外リムを含む外方壁とを有することができよう。第２距離は、本体の底に対し、第１距離よりも大きくすることができよう。溝は、容器が閉じた状態にあるとき、キャップの一部を受け入れるサイズとすることができよう。
【０００８】
特徴、機能、及び利点は、本開示の様々な実施形態で独立して実現しても、組み合わせてまた他の実施形態としてもよく、このさらなる詳細は、以下の記載及び図面を参照して、確認することができる。
【０００９】
図面及び発明を実施するための形態を検討することで、本開示の利点は、容易に理解されるであろう。
【図面の簡単な説明】
【００１０】
【図１】本開示に係る一実施形態の容器の概略説明図を示す。
【図２】キャップと本体とを取り付けていない一実施形態の容器の斜視図を示す。
【図３】キャップと本体とを閉じた状態で取り付けた、図２の実施形態の容器の斜視図を示す。
【図４】図２の実施形態のキャップの斜視図を示す。
【図５】図４の面５−５に沿って切断した、図２の実施形態のキャップの下縁から延在するリッジの断面図を示す。
【図６】図２の実施形態の本体の上面図を示す。
【図７】図２の面７−７に沿って切断した、実施形態の本体の断面図を示す。
【図８】容器の本体の上縁内に設けた溝が図示される、図７の８で切断した、実施形態の容器の本体断面の詳細図を示す。
【図９】ガイドセットが図示される、図８の９で切断した、一実施形態の本体断面の詳細図を示す。
【図１０】本体にある溝内に挿入されたキャップにあるリッジが図示される、閉じた状態の実施形態の容器の断面図を示す。
【図１１】キャップと本体とを取り付けていない、別の実施形態の容器の斜視図を示す。
【図１２】図１１の面１２−１２に沿って切断した、図１１の実施形態の本体の断面図を示す。
【図１３】図１１の実施形態の本体の上面図を示す。
【図１４】本開示に係る別の実施形態の容器の概略説明図を示す。
【図１５】別の実施形態の容器のキャップの突出端の断面図を示す。
【図１６】本体の溝で受けたキャップの突出端が図示される、閉じた状態にある図１５の容器の一実施形態の断面図を示す。
【図１７】外装グリップ構造が図示される、キャップ及び本体が閉じた状態にある、別の実施形態の容器の斜視図を示す。
【図１８】図１７の実施形態の容器の底面図を示す。
【図１９】外装グリップ構造が図示される、キャップ及び本体が閉じた状態にある、別の実施形態の容器の斜視図を示す。
【図２０】図１９の実施形態の容器の上面図を示す。
【図２１】変厚本体壁が図示される、別の実施形態の容器の本体の上面図を示す。
【図２２】１つ以上のキャップ内突起が図示される、別の実施形態の容器のキャップの斜視図を示す。
【図２３】図２２の面２３−２３に沿って切断した、図２２の実施形態のキャップの断面図を示す。
【図２４】閉じた状態にある図２２の実施形態の容器の断面図を示す。
【発明を実施するための形態】
【００１１】
概要
図面は、本開示に係る１つ以上の容器のための実施形態及び概略的概念を例証する。これら図面は、本開示の原理の説明を助けることを目的とする。そのため、図面は、本開示の範囲を図面に示される実施形態及び概略的概念に限定するものとみなされるべきではない。本明細書に教示されるように、本開示の原理に従う他の実施形態の容器を創作することができ、これら他の実施形態は、本開示の範囲内に含まれるものである。
【００１２】
実施例、構成要素、及び代替例
以下のセクションは、例示的容器の選択された態様について記載する。これら段落にある実施例は、例証のためのものであり、本開示の範囲全体を限定するものと解釈されるべきではない。各段落は、１つ以上の区別可能な発明、及び／又は文脈上の又は関連する情報、機能、及び／又は構造を含むことができよう。
【００１３】
実施例１：
本実施例は、図１を参照し、例証としての容器について記載する。
【００１４】
本開示の容器１０は、キャップ１２と、本体１４とを含むことができよう。キャップ１２は、上部１１と、上部１１から延在するキャップ壁１３とを有することができよう。これらキャップ壁は、外周部を形成することができよう（例えば、図２参照）。キャップ１２は、上部１１と反対方向に、キャップ１３の底１８近傍から延在するリッジ又は突出端１６を有することができよう。突出端１６は、外周部より小さいサイズの内周部を形成することができよう（例えば、図２及び図１１参照）。
【００１５】
本体１４は、底部３１と、基端３５から最外先端３７まで、底部３１から延在する本体壁３３を有することができよう。本体壁３３は、内側に空洞部を、外側に本体周縁部を形成することができよう（例えば、図２及び図１１参照）。本体周縁部は、実質的に一定のサイズを有することができ、キャップ１２の外周部と実質的に同じサイズとすることができよう。「実質的に」とは、どのような製造技術が使用されても許容範囲内であることを意味する。
【００１６】
本体１４は、最外先端３７の最外縁の周囲に形成される上方外リム２２を有することができよう。本体１４は、最外先端３７の内縁の周囲に形成される上方内リム２３を有することができよう。上方外リム２２及び上方内リム２３は、最外先端３７全体の周囲に配置することができ、上方外リム２２と上方内リム２３との間に溝２０を有することができよう。
【００１７】
容器１０が、閉じた状態にあるとき、キャップ１２は、リッジ１６が溝２０に挿入されるよう、本体１４に置くことができよう。溝２０内へリッジ１６を誘導するため、上方外リム２２近傍に第１ガイド２４があってもよい。溝２０内へリッジ１６を誘導するため、上方内リム２３近傍に第２ガイド２４があってもよい。リッジ１６は、リッジ１６の外装側２８において、及び／又はリッジ１６の内装側３０において、リッジ１６の周囲に円周方向に配置される１つ以上のシーラー２６を有することができよう。シーラー２６は、キャップ１２が本体１４と共に閉じた状態にあるとき、溝２０の側面３２と係合することができ、摩擦嵌合又は摩擦密閉が生じ、これにより、水又は空気が容器１０に入ることを防ぐ。
【００１８】
容器１０は、０以上の仕切板３６により区切られた１つ以上の区別可能な内部区画３４を有することができよう。
【００１９】
図１は、概略説明図であり、その縮尺率は一定ではない。キャップ壁の外周部、リッジ１６の内周部、及び本体壁３３により形成される本体周縁部などのいくつかの要素は、他の図面、例えば図２及び図１１で、最もよく確認できる。
【００２０】
容器１０は、プラスティックを含む、任意の適切な物質から作ることができよう。プラスティックは、強く、丈夫で、消費者にとって安全であろう。容器１０は、所定の物質に適した工程で作製することができよう。容器１０がプラスティック製である場合、容器１０は、射出成形などを使用して作製することができよう。
【００２１】
容器１０は、使用者が定める様々な目的に役立ち得る。例えば、使用者が、容器１０に、様々なタバコ製品又は銃弾を入れることを望むことがある。容器１０のサイズ及び外寸並びに内部区画３４の構成は、容器１０の予定される用途により定めることができよう。例えば、銃弾を入れる予定の容器１０は、シガレットを入れる予定の容器１０よりも高くすることができよう。さらに、シガレットを入れるよう構成される内部区画３４は、銃弾を確実に保持することができない。底部３１は、実質的に平坦で、容器１０が支持なく自立することを可能にすることができよう。
【００２２】
実施例２：
本実施例は、図２〜図１０を参照し、別の例証としての容器について記載する。
【００２３】
図２は、非取り付け位置、つまり、キャップ１１２と本体１１４とが互いに離れている、第１実施形態の容器１１０を図示する。キャップ１１２は、上部１１１と、外周部１１５とを有することができよう。リッジ又は突出端１１６は、キャップ１１２の下縁１１８から延在し、内周部１１７を形成することができよう。リッジ１１６の外装側１２８に、シーラー１２６を並べることができよう。本実施形態において、シーラー１２６は、リッジ１１６の外装側１２８から突出する３つの外周突起部のセット１２６である。リッジ１１６の内装側１３０に、シーラー１２６を並べることができよう。本実施形態において、シーラー１２６は、リッジ１１６の内装側１３０から突出する３つの外周突起部のセット１２６である。内装側は、図２では確認できないが、図４で確認できる。
【００２４】
本体１１４は、底部１３１と、本体周縁部１３９とを有することができよう。本体周縁部１３９は、本体に沿った様々な点において、実質的に同じサイズとすることができよう。本体周縁部１３９は、キャップ１１２の外周部１１５と実質的に同じサイズとすることができよう。溝１２０は、本体１１４の上方外リム１２２と上方内リム１２３との間に配置することができよう。容器１１０の外装縁１３８の一部又は全て及び外装角１４０の一部又は全ては、丸みをつけることができよう。キャップ１１２の外装面１４２及び本体１１４の外装面１４４は、人が容器１１０を把持しやすいようにテクスチャ加工することができよう。
【００２５】
本実施形態において、内部区画１３４ａのセットのうち一部は、シガレットを個別に入れるよう構成することができ、別の内部区画１３４ｂは、マッチ又は他の点火装置を入れるよう構成することができよう。内部区画１３４ａ及び１３４ｂは、仕切板１３６により区切ることができよう。
【００２６】
図３は、閉じた状態、つまり、キャップ１１２及び本体１１４が連結した、一実施形態の容器１１０を図示する。キャップ１１２は、本体１１４と凹凸なく嵌合することができよう。「凹凸のない」は、キャップ１１２が本体１１４に取り付けられたとき、キャップ１１２の外装側１４６と本体１１４の外装側１４８が、全体として１５０で示す１つの面を形成する、又は実質的に形成することを意味する。面１５０には、キャップ１１２及び本体１１４が接する突起又は他の形体がないものとすることができよう。キャップ１１２及び本体１１４は、容器１１０の４側面全てで凹凸なく嵌合することができよう。
【００２７】
容器１１０の形体により、容器１１０がより大きな容器内にある又は個人のポケットにあるとき、期せずして開いてしまうことを防ぐことができよう。本実施形態の容器１１０が閉じた状態にあるとき、外寸は、製造上の許容誤差を考慮して、幅が約１．５４インチ、長さが約２．６インチ、及び高さが約３．６５インチとなるようにすることができよう。容器１１０に入れる予定のシガレットの数及びサイズに応じて、他の寸法が適することがある。
【００２８】
図４は、リッジ１１６の外装側１２８にある３つの外周突起部のセット１２６と、リッジ１１６の内装側にある３つの外周突起部のセット１２６を有する、一実施形態のキャップ１１２を図示する。丸みをつけた外装縁１３８に加え、全ての内装縁１５２も同様に丸みをつけることができよう。
【００２９】
図５は、図４の面５−５に沿って切断した、実施形態のキャップ１１２にあるリッジ１１６の断面図である。リッジ１１６の外装側１２８及び内装側１３０の両側で、外周突起部１２６は、リッジ１１６の表面から突出することができよう。
【００３０】
図６は、図２に基づく実施形態の本体１１４のトップダウン図を示す。溝１２０は、上方外リム１２２と上方内リム１２３との間に設置することができよう。内部区画１３４ａ及び１３４ｂは、仕切板１３６により区切ることができよう。仕切板１３６が互いに接する、又は仕切板１３６が本体１１４の内装壁と接する内装縁１５２は、丸みをつけることができよう。
【００３１】
図７は、図２の面７−７に沿って切断した、一実施形態の容器１１０の本体１１４の断面図である。溝１２０は、上方外リム１２２及び上方内リム１２３近傍とすることができよう。仕切板１３６が、本体１１４の内部空間を、シガレットを個別に受け入れるサイズの１つ以上の区画１３４ａ、及び／又はシガレットに点火することができるマッチ又は他の物質を受け入れるサイズの１つ以上の区画１３４ｂに区切ることができよう。仕切板１３６が、互いに接する、又は本体の壁若しくは床部と接する内装縁１５２は、丸みをつけることができよう。内装縁のこの丸みづけは、内部区画１３４の内容物を保護することを補助し、内部区画１３４の洗浄を容易にする上で役立ち得る。
【００３２】
図８は、図７の８で切断した、一実施形態の容器１１０の本体１１４の上方外リム１２２及び上方内リム１２３の詳細図である。溝１２０は、上方外リム１２２及び上方内リム１２３近傍とすることができよう。第１ガイド１２４は、上部外リム１２２が溝１２０と接する箇所の近傍とすることができよう。第２ガイド１２４は、上方内リム１２３が溝１２０と接する箇所の近傍とすることができよう。図９にて最もよく確認できるように、ガイド１２４は、丸みづけ縁とすることができよう。ガイド１２４は、容器１１０を閉じるため、溝１２０内にリッジ１１６（不図示）が摺動することを補助することができよう。
【００３３】
図９は、図８の９で切断した、上方外リム１２２、上方内リム１２３、溝１２０、及びガイド１２４のさらに詳細な図である。
【００３４】
図１０は、キャップ１１２のリッジ１１６が本体１１４の溝１２０内に挿入されているときの、実施形態の容器１１０の詳細断面図である。リッジ１１６の外装側１２８から延在する外周突起部１２６は、溝１２０の側面１３２と物理的に接触することができよう。リッジ１１６の内装側１３０から延在する外周突起部１２６は、溝１２０の側面１３２と物理的に接触することができよう。この接触により、摩擦嵌合又は摩擦密閉を作り出すことができよう。この接触により、水又は空気が容器１１０に入ることを防ぐであろう気密性又は耐水性密閉を作り出すことができよう。キャップ１１２の外装側１４６は、本体１１４の外装側１４８と凹凸なく嵌合することができよう。
【００３５】
実施例３：
本実施例は、図１１〜図１３を参照し、別の例証としての容器について記載する。図１１は、非取り付け位置、つまり、キャップ２１２と本体２１４とが連結していない、別の実施形態の容器２１０を図示する。本実施形態の特徴の大部分は、図１乃至図９に図示される上記実施形態と同一又は同様であってよい。例えば、キャップ２１２は、リッジ２１６の外装側２２８にある第１のシーラーのセット２２６と、リッジ２１６の内装側２３０にある第２のシーラーのセット２２６とを有することができよう（本図では見えないが、シーラーのセット２２６の両方の図としては図４参照）。２つの実施形態間の主な相違点は、内部区画２３４のセット、それを区切る仕切板２３６のセット、及び容器２１０の外寸の構成である。本実施形態において、内部区画２３４は、銃弾又は弾丸を入れるよう構成することができよう。図１１で確認できるように、内部区画２３４は、略円柱形状を有することができよう。さらに、本体２１４において、内部区画２３４の上方には、開放空間２５４があるとすることができよう。この空間の１つの目的は、図１２で明確になるであろう。本実施形態の容器２１０が閉じた状態にあるとき、外寸は、製造上の許容誤差を考慮して、幅が約１．２６インチ、長さが約３．０インチ、及び高さが約５．０インチとなるようにすることができよう。容器２１０に入れる予定の銃弾の数及びサイズに応じて、他の寸法が適することがある。
【００３６】
図１２は、図１１の面１２−１２で切断した、本体２１４の断面図である。本実施形態において、内部区画２３４は、略円柱状である。内部区画は、下部２６２の半径２６０よりも僅かに大きい上部２５８の半径２５６と、半径が変化する領域２６４とを有することができよう。上部２５８と領域２６４との間の縁２６３は、丸みをつけることができよう。領域２６４と下部２６２との間の別縁２６５も、丸みをつけることができよう。上部２５８が開放空間２５４と接する内部区画２３４の上縁２５７も、丸みをつけることができよう。図１２にある点線は、容器２１０に据えられるときの銃弾又は弾丸２６６を示す。深さ、上部２５８の半径２５６、下部２６２の半径２６０、及び半径が変化する領域２６４の設置位置を含む、内部区画２３４の全ての寸法は、示されているように銃弾が確実に据えられる、つまり、円筒２６６の端２６８が容器２１０の底に支えられることなく、円筒２６６の上方リム２７０が内部区画２３４の上方の開放空間２５４までも突出するように選出することができよう。これにより、容器２１０からの円筒２６６の取り出しを容易にすることができよう。他の所望な状態で弾丸を入れる内部区画２３４の他の構成も必要に応じて利用することができる。
【００３７】
図１３は、実施形態の容器２１０の本体２１４のトップダウン図である。溝２２０は、上方外リム２２２及び上方内リム２２３近傍とすることができよう。本実施形態において、内部区画２３４は、銃弾を入れるよう構成することができよう。内部区画２３４は、区画の上に向かい大きくなる半径２５６と、半径が小さくなる領域２６４と、区画の底に向かって小さくなる半径２６０とを有し、略円柱形とすることができよう。
【００３８】
実施例４：
本実施例は、図１４を参照し、別の例証としての容器について記載する。
【００３９】
図１４は、一実施形態の容器３１０の概略断面を図示する。容器３１０は、本明細書に記載される他の例示的容器のうちいずれかと同様とすることができよう。容器３１０は、キャップ３１２と、本体３１４とを含むことができよう。
【００４０】
キャップ３１２は、頭部３１６と、キャップ壁３１８と、突出端３２０とを含むことができよう。キャップ壁は、頭部から延在することができ、突出端は、頭部と反対方向にキャップ壁から延在することができよう。突出端３２０は、キャップ壁３１８より遠位にある遠端３２２を有することができよう。突出端は、遠端３２２の内周リップ３２６近傍に、キャップ内側面取り部３２４を有することができよう。キャップ内側面取り部３２４は、傾斜部及び／又は丸みづけ縁及び／又は射角縁及び／又はＲ縁とすることができよう。キャップ内側面取り部３２４は、容器３１０を閉じた状態とするとき、本体３１４とのキャップ３１２の接続をも容易にすることができよう。キャップ内側面取り部３２４に加え、突出端は、遠端の外周リップ３２８近傍に、キャップ外側面取り部を含むことができよう。キャップ３１２は、キャップ内側面取り部及びキャップ外側面取り部のうち１つ又は両方を含むことができよう。
【００４１】
キャップ３１２は、突出端３２０の第１側面３３２に配置される１つ以上の第１摩擦シーラー３３０を含むことができよう。キャップは、突出端の第２側面３３６に配置される１つ以上の第２摩擦シーラー３３４を含むことができよう。第２側面３３６は、突出端にある第１側面３３２の反対側とすることができよう。キャップ内側面取り部３２４は、第１摩擦シーラーと突出端３２０の遠端３２２との間に配置することができよう。
【００４２】
本体３１４は、底３３８と、本体壁の基端３４２から本体壁の先端３４４まで、底から延在する本体壁とを含むことができよう。本体壁は、本体壁内に配置され、本体壁の先端近傍にある溝３４６を有することができよう。
【００４３】
溝３４６は、床部３４８と、本体壁３４０の先端３４４近傍にある開口３５０と、内方壁３５２と、外方壁３５４とを有することができよう。内方壁３５２は、本体の底３３８からの第１距離Ｄ１に配置される上方内リム３５６を含むことができよう。外方壁３５４は、本体の底から第２距離Ｄ２に配置される上方外リム３５８を含むことができよう。第２距離Ｄ２は、本体の底に対し、第１距離Ｄ１よりも大きくすることができよう。
【００４４】
溝の内方壁３５２及び外方壁３５４のうちいずれかは、溝の床部３４８と溝の開口３５０との間を、単一の連弧状に延在することができよう。つまり、内方壁及び外方壁のうちいずれかは、溝の床部から溝の開口まで、不連続な接続部、突起、刻み目、又は他の歪みなく、滑らかに延在することができよう。
【００４５】
本体３１４は、上方外リム３５８近傍に第１ガイド３６０を含むことができ、上方内リム３５６の近傍に第２ガイド３６２を含むことができよう。第１ガイド及び／又は第２ガイドのうちいずれかは、丸みづけ縁及び／又はＲ縁及び／又は射角縁及び／又は面取り縁とすることができよう。
【００４６】
溝３４６は、容器３１０が、図１４に描かれる閉じた状態にあるとき、キャップ３１２の一部を受け入れるサイズとすることができよう。突出端３２０は、溝内で受け入れるキャップの一部とすることができよう。キャップ内側面取り部３２４、第１ガイド３６０、又は第２ガイド３６２のうちいずれかにより、溝内で突出端を受け入れることを容易にすることができよう。
【００４７】
容器３１０が閉じた状態にあるとき、１つ以上の第１摩擦シーラー３３０及び１つ以上の第２摩擦シーラー３３４は、それぞれ内方壁３５２及び外方壁３５４と共に、溝内で摩擦密閉を形成することができよう。１つ以上の第１摩擦シーラー及び第２摩擦シーラーは、摩擦密閉を形成する可撓性がある柔軟な外周突起部とすることができよう。摩擦密閉は、キャップと本体との間の摩擦力が、本体と共にキャップを閉じた状態に保持する唯一の力となる状態とすることができよう。例えば、容器３１０が、閉じた状態でありつつ、ひっくり返された場合、キャップ及び本体は、キャップと本体との間の摩擦力の結果、厳重に閉じた状態に保持することができよう。１つ以上の第１摩擦シーラー３３０又は１つ以上の第２摩擦シーラー３３４のうちいずれかは、そこから突出はしないが、内方壁３５２及び外方壁３５４のそれぞれの表面領域と接触することができよう。
【００４８】
本体壁３４０は、内側３６６に空洞部３６４を形成することができよう。空洞部３６４は、１つ以上の区画、例えば、区画３６８ａ及び３６８ｂを有することができよう。区画は、１つ以上の仕切板３７０により区切ることができよう。区画は、タバコ製品、火をつける物質、銃弾、又は他の適した物品など特定の物品を入れるよう構成することができよう。
【００４９】
実施例５：
本実施例は、図１５及び図１６を参照し、別の例証としての実施形態の容器について記載する。
【００５０】
図１５は、全体として４１０で示す、一実施形態の容器の断面図を示す。特に、図１５は、容器４１０のキャップ４１２の詳細断面図を示す。容器４１０は、本体４１４を含むことができ、本体４１４の一部は、図１６にて最もよく確認することができよう。キャップ４１２及び本体４１４は、それぞれ、実施例４に記載されるようなキャップ３１２及び本体３１４の一実施形態である。
【００５１】
図１５の詳細図は、キャップ壁４１８から突出端の遠端４２０まで延在する突出端４１６を図示する。突出端は、遠端の内周リップ４２４近傍に、キャップ内側面取り部４２２を有することができよう。キャップ内側面取り部４２２は、遠端近傍にある斜状面とすることができ、容器４１０の本体の溝内への突出端４１６の受け入れを容易にすることができよう。キャップ内側面取り部４２２は、傾斜部及び／又は丸みづけ縁及び／又は射角縁及び／又はＲ縁とすることができよう。
【００５２】
キャップ４１２は、突出端４１６の第１側面４２８に配置される１つ以上の第１摩擦シーラーを含むことができよう。１つ以上の第１摩擦シーラーは、容器４１０が閉じた状態にあるとき、本体の溝と共に摩擦密閉を形成する可撓性があるよう構成される柔軟な外周突起部とすることができよう。１つ以上の第１摩擦シーラーは、容器が閉じた状態にあるとき、そこから突出はしないが、本体の溝の内方壁の表面領域と接触することができよう。キャップ内側面取り部４２２は、１つ以上の第１摩擦シーラーと突出端の遠端との間に配置することができよう。
【００５３】
キャップ４１２は、突出端の第２側面４３２に配置される１つ以上の第２摩擦シーラー４３０を含むことができよう。１つ以上の第２摩擦シーラーは、容器４１０が閉じた状態にあるとき、本体の溝と共に摩擦密閉を形成する可撓性があるよう構成される柔軟な外周突起部とすることができよう。１つ以上の第２摩擦シーラーは、容器が閉じた状態にあるとき、そこから突出はしないが、本体の溝の内方壁の表面領域と接触することができよう。
【００５４】
図１６は、本体４１４の溝４３４で受け入れたキャップ４１２の突出端４１６が図示される、閉じた状態の容器４１０の詳細断面図を示す。
【００５５】
溝４３４は、実施例４に記載される溝３４６の一実施形態である。溝４３４は、床部４３６と、開口４３８と、内方壁４４０と、外方壁４４２とを有することができよう。内方壁４４０は、本体の底から第１距離Ｄ３に配置することができる上方内リム４４４を含むことができよう。本体の底は、図１６において、図外にあるとすることができよう。外方壁４４２は、本体の底から第２距離Ｄ４に配置することができる上方外リム４４６を含むことができよう。第２距離Ｄ４は、本体の底に対し、第１距離Ｄ３よりも大きくすることができよう。上方内リム４４４を上方外リム４４６よりも本体の底に近づけて配置することにより、キャップ４１２を本体４１４と共に閉じた状態とすることを容易にすることができる。
【００５６】
第２距離Ｄ４と第１距離Ｄ３との間の差は、ゼロインチとすることができよう。一部の実施形態において、差は、ゼロインチより大きいとすることができよう。一部の実施形態において、差は、例えば、最大０．７５インチ又は最大１．５インチとすることができよう。しかし、第２距離と第１距離との間の差として、容器を作製するのに使用される物質の引張強度、キャップと本体との間の接触部分の摩擦係数、並びに容器の予定される内容物のサイズ及び重量などの要因に応じて、他の値を容認してもよい。差があることは、本体と共にキャップを閉じた状態に置くことを容易にすることに適することができよう。
【００５７】
内方壁４４０は、溝の床部４３４と、溝の開口４３８又は溝の上方内リム４４４との間を単一の連弧状に延在することができよう。１つ以上の第１摩擦シーラー４２６は、そこから突出はしないが、内方壁の各表面領域と接触することができよう。内方壁との接触に際し、１つ以上の第１摩擦シーラーは、可撓性があり、それにより、実質的に気体及び液体を通さない摩擦嵌合又は摩擦密閉を作り出すことができよう。
【００５８】
外方壁４４２は、溝の床部４３４と、溝の開口４３８又は溝の上方外リム４４６との間を、単一の連弧状に延在することができよう。１つ以上の第２摩擦シーラー４３０は、そこから突出はしないが、外方壁の各表面領域と接触することができよう。外方壁との接触に際し、１つ以上の第２摩擦シーラーは、可撓性があり、それにより、実質的に気体及び液体を通さない摩擦嵌合又は摩擦密閉を作り出すことができよう。
【００５９】
実施例６：
本実施例は、図１７及び図１８を参照し、容器の別の例証としての実施形態について記載する。
【００６０】
図１７は、閉じた状態の容器５１０が図示される、全体として５１０で示す、別の実施形態の容器の斜視図を示す。容器５１０は、それぞれ、実施例４に記載したようなキャップ３１２及び本体３１４の一実施形態である、キャップ５１２と、本体５１４とを含むことができよう。容器５１０は、タバコ製品及び火をつける物質、又は他の適した物品を入れるよう構成することができよう。
【００６１】
キャップ５１２は、頭部５１６と、頭部から延在するキャップ壁５１８とを含むことができよう。本体５１４は、図１８で最もよく確認できる底５２０と、底から延在する本体壁５２２とを有することができよう。キャップ壁５１８は、外装面５２４を有することができ、本体壁５２２は、外装面５２６を有することができよう。キャップ壁の外装面５２４は、接合部５２８に沿って本体壁の外装面５２６に接することができよう。共に、キャップ壁及び本体壁の外装面５２４及び５２６は、容器が閉じた状態にあるとき、外装容器面５３０を形成することができよう。
【００６２】
本体壁５２２の外装面５２６及びキャップ壁５１８の外装面５２４は、グリップ構造５３２を有することができよう。グリップ構造５３２は、本体壁及びキャップ壁の外装面５２６及び５２４に連続して縦に延びることができる、離間したアレートのセットを含むことができよう。グリップ構造５３２のアレートは、或いは、リッジ、スパイン、外周突起部、又は隆起などともいうことができよう。グリップ構造は、容器５１０の所定の側面に配置される、１つ、２つ、３つ、又は４つ以上のアレートなど、アレートの分離したセットを含むことができよう。
【００６３】
グリップ構造は、例えば、容器の底近傍にある本体壁の基端５３４から、容器の頭部５１６近傍にあるキャップ壁の基端５３６まで、縦に延びることができよう。グリップ構造は、連続して延びることができ、つまり、キャップと本体壁との間の接合部５２８をまたがったとしても、外装容器面５３０に沿った、グリップ構造の形状の変化又は隆起を実質的に存在させないことができよう。そのため、キャップ５１２及び本体５１４は、閉じた状態にあるとき、凹凸のない嵌合を形成することができよう。
【００６４】
グリップ構造５３２は、容器５１０の頭部５１６の上面５３８まで延在しなくてよい。上面５３８は、滑らかであっても、テクスチャ加工されてもよい。
【００６５】
図１８は、容器５１０の底面図を示す。本体壁５２２の外装面５２６に配置されるグリップ構造５３２は、容器の底５２０の底面５４０まで延在しなくてよい。底面５４０は、滑らかであっても、テクスチャ加工されてもよい。
【００６６】
実施例７：
本実施例は、図１９及び図２０を参照し、別の例証としての実施形態の容器について記載する。
【００６７】
図１９は、閉じた状態の容器６１０が図示される、全体として６１０で示す、別の実施形態の容器の斜視図を示す。容器６１０は、それぞれ、実施例４に記載したようなキャップ３１２及び本体３１４の一実施形態である、キャップ６１２と、本体６１４とを含むことができよう。容器６１０は、１つ以上の銃弾、又は他の適切な物品を入れるよう構成することができよう。
【００６８】
キャップ６１２は、図２０にて最もよく確認できる、頭部６１６と、頭部から延在するキャップ壁６１８とを含むことができよう。本体６１４は、底６２０と、底から延在する本体壁６２２とを含むことができよう。本体壁の外装面６２４及びキャップ壁の外装面６２６は、グリップ構造６２８を有することができよう。グリップ構造６２８の寸法が、容器６１０次第のサイズとすることができ、グリップ構造５３２の寸法が容器５１０次第のサイズとすることができる点を除いて、グリップ構造６２８は、実施例６に記載したグリップ構造５３２と同様とすることができよう。グリップ構造６２８は、本体壁及びキャップ壁の外装面６２４及び６２６に沿って連続して縦に延びる、離間したアレートのセットを含むことができよう。グリップ構造６２８は、本体の底６２０の底面６３０まで延在しなくてよい。底面６３０は、滑らかであっても、テクスチャ加工されてもよい。
【００６９】
図２０は、容器６１０の上面図を示す。キャップ壁６１８の外装面６２６に配置されるグリップ構造６２８は、容器の頭部６１６の上面６３２まで延在しなくてよい。上面６３２は、滑らかであっても、テクスチャ加工されてもよい。
【００７０】
実施例８：
本実施例は、図２１を参照し、別の例証としての実施形態の容器について記載する。
【００７１】
図２１は、全体として７１０で示す、別の実施形態の容器の本体の上面図を示す。容器７１０は、図２１では不図示のキャップを含むことができよう。容器７１０のキャップは、本明細書に記載される、キャップ３１２の一実施形態のものとしてもよく、キャップ４１２又はキャップ５１２の実施形態と同様のものとしてもよい。容器７１０は、本体７１４を含むことができ、本体７１４は、本明細書に記載される、本体３１４の一実施形態のものとしてもよく、本体４１４又は本体５１４の実施形態と同様のものとしてもよい。図２１は、容器７１０の本体の上面図を示す。
【００７２】
本体７１４は、内側７２０に空洞部７１８を形成することができる本体壁７１６を有することができよう。空洞部７１８は、１つ以上の区画、例えば、第１区画７２２と、１つ以上の第２区画７２４とを有することができよう。第１区画７２２は、ライター、マッチ、マッチブック、又はマッチ箱などの点火材を入れるよう構成することができよう。１つ以上の第２区画７２４は、シガレットなどタバコ製品を入れるよう構成することができよう。１つ以上の区画は、内部仕切板７２６により区切ることができよう。
【００７３】
本体壁７１６は、第１区画７２２と本体壁の外装面７３０との間に第１の厚さ７２８を有することができよう。本体壁は、第２区画７２４と本体の外装面７３０との間に第２の厚さ７３２を有することができよう。第２の厚さ７３２は、第１の厚さとは異なるものとすることができ、例えば、第２の厚さは、第１の厚さよりも大きくすることができよう。
【００７４】
第２の厚さ７３２が第１の厚さ７２８よりも大きい場合、１つ以上の第２区画７２４近傍に厚い本体壁７１６があることにより、これに応じて、１つ以上の第２区画をより狭めることができよう。１つ以上の第２区画がシガレットを入れるよう構成される場合、狭い区画は、直立状態でシガレットを入れることができ、その結果、シガレットの上方端は、本体壁内に配置される溝７３４から少し距離を離して入れることができ、この場合、溝７３４は、容器７１０が閉じた状態にあるとき、キャップの一部を受け入れるサイズとすることができよう。厚い本体壁が、シガレットの上方端を溝から離すことにより、容器を閉じることを容易にすることができよう。
【００７５】
実施例９：
本実施例は、図２２〜図２４を参照し、別の例証としての実施形態の容器について記載する。
【００７６】
図２２は、全体として８１０で示す、別の実施形態の容器の斜視図を示す。容器８１０は、本明細書に記載される、キャップ３１２の一実施形態のものであっても、キャップ４１２及びキャップ６１２の実施形態と同様のものであってもよい、キャップ８１２を含むことができよう。容器８１０は、本明細書に記載される、本体３１４の一実施形態のものであっても、４１４及び６１４の実施形態と同様のものであってもよい、図２４で最もよく確認できる、本体８１４を含むことができよう。
【００７７】
キャップ８１２は、頭部８１６と、キャップ壁８１８と、突出端８２０と、キャップ内突起８２２とを含むことができよう。頭部８１６は、図２３及び図２４で最もよく確認することができよう。キャップ壁８１８は、頭部から延在することができ、突出端８２０は、頭部と反対方向に、キャップ壁から延在することができよう。キャップ内突起８２２は、頭部から延在することができ、キャップ壁の内部にあるとすることができよう。キャップ内突起８２２は、１つ以上の伸長したフィン、リッジ、又は横木であってもよく、１つ以上の柱であってもよい。
【００７８】
図２３は、図２２の面２３−２３に沿って切断した、キャップ８１２の断面図を示す。キャップ内突起８２２は、キャップ８１２の頭部８１６及び／又はキャップ壁８１８から延在することができよう。突出端８２０は、キャップの頭部より遠位にある遠端８２４を有することができよう。突出端の遠端８２４は、キャップの頭部から第３距離Ｄ５に配置することができよう。キャップ内突起８２２は、キャップの頭部より遠位にある遠端８２６を有することができよう。キャップ内突起の遠端８２６は、キャップの頭部から第４距離Ｄ６に配置することができよう。第４距離Ｄ６は、キャップの頭部に対し、第３距離Ｄ５とは異なるものとすることができよう。第４距離Ｄ６は、第３距離Ｄ５よりも小さくすることができよう。
【００７９】
図２４は、閉じた状態の容器８１０の断面図を示す。図２４は、図１２で切断した面に直交する面で切断しているが、図１２の断面図と同様である。キャップ内突起８２２は、閉じた状態にあるとき、本体８１４に向かって頭部８１６から延在することができよう。本体８１４は、内側８３２に空洞部８３０を形成することができる本体壁８２８を含むことができよう。空洞部８３０は、１つ以上の内部区画８３４に分割することができよう。
【００８０】
容器８１０の内部区画８３４が、１つ以上の銃弾８３６を入れるよう構成される場合には、キャップ内突起８２２は、容器８１０の姿勢に関わらず、その場に銃弾を留めることを補助することができよう。図２４のものなど、一部の実施形態において、万一、容器がひっくり返り、銃弾がキャップ８１２の頭部８１６に向かう方向に動いたとしても、キャップ内突起８２２は、円筒の端部の中心以外の場所で銃弾と接触することができよう。つまり、キャップ内突起は、ケースの中心にある雷管８４０とは接触しないが、円筒のケース８３８にて銃弾と接触する手段で位置決めすることができ、そのため、円筒を各区画に安定して留めることができよう。一部の実施形態において、キャップ内突起は、キャップの頭部８１６に向かう方向に円筒が動くことを防ぐため、他の部位で、銃弾と接触することができよう。銃弾と接触するキャップ内突起の部分は、角をとる及び／又はＲ形状とすることができよう。
【００８１】
区画８３４は、本明細書に記載した容器２１０の区画２３４と同様とすることができよう。各区画８３４は、第１半径Ｒ１のチャンバ壁底部８４２と、第２半径Ｒ２のチャンバ上部８４４とを有することができよう。第２半径は、第１半径よりも大きくすることができよう。チャンバ壁上部及びチャンバ壁底部は、浮いた状態で銃弾８３６を入れるように適合させることができよう。そのため、保持される銃弾の発射端８４６は、チャンバ壁底部８４２にて下に向かって延在することができ、その結果、発射端は、下方空間８４８内に延在し、容器８１０の一部にも接触しない。
【００８２】
空洞部８３０は、銃弾を各区画内に受け入れたとき、銃弾８３６のケース８３８の上方リム８５０が、チャンバ壁上部８４４の上方へ、各区画８３４の上方にある上方開放空間８５２内に延在することができるよう構成することができよう。この構成により、容器からの銃弾の取り出しを容易にすることができよう。
【００８３】
各区画８３４は、チャンバ壁上部８４４とチャンバ壁底部８４２との間に、移行壁領域８５４を含むことができよう。移行壁部は、第１半径Ｒ１より大きく、第２半径Ｒ２より小さい第３半径Ｒ３を有することができよう。移行壁部は、平滑傾斜壁部８５６と、チャンバ壁上部と平滑傾斜壁部との間の第１丸みづけ縁８５８と、平滑傾斜壁部とチャンバ壁底部との間の第２丸みづけ縁８６０とを有することができよう。
【００８４】
実施例１０：
上記では、複数の例示的な実施形態の容器、つまり、容器１０、１１０、２１０、３１０、４１０、５１０、６１０、７１０、及び８１０について記載した。これら実施形態は、それぞれ、様々な例示的な特徴と共に、図面に示され、記載される。しかし、より多くの実施形態を容認することができ、本開示の範囲内とする。本実施例は、既に記載した特定の実施形態のいくつかの特徴を組み合わせる、複数の容認可能な実施形態についての記載を提供する。記載される代替実施形態は、他の組み合わせも容認可能であるため、完全な列挙と捉えるべきではない。
【００８５】
例えば、実施例１で記載された溝２０及び実施例４で記載された溝３４６など、容器のキャップの一部を受け入れるための、少なくとも２つの溝が記載されている。これら溝は、上方内リムと上方外リムとの相対配置が異なるようにすることができよう。それら２つの溝のいずれかは、本明細書に記載される実施形態のうちいずれかと組み合わせることができよう。
【００８６】
本明細書には、複数の実施形態のキャップが記載されている。例えば、キャップ４１２は、キャップ４１２の突出端４１６の遠端４２０近傍にキャップ内側面取り部４２２を有して、図１５に図示される。さらに、キャップ１１２は、キャップ内側面取り部を含まないキャップ１１２の突出端１１６と共に、図５に図示される。上記内容からわかるように、キャップ内側面取り部４２２などのキャップ内側面取り部は、本明細書に記載される実施形態のキャップのいずれかに含めることができよう。
【００８７】
容器の外装面について、少なくとも２つの構成が記載されている。例えば、図３では、隆起グリップ構造なく図示される容器１１０の外装面１５０が描かれ、図１７では、外グリップ構造５３２と共に、容器５１０の外装面５３０が図示される。本明細書に記載される実施形態の外装面は、いずれも、グリップ構造５３２などの外グリップ構造を含んでも、含まなくてもよい。
【００８８】
本明細書には、本体壁の複数の構成が記載されている。例えば、容器７１０の本体７１４は、変厚本体壁７１６を有して、図２１に描かれる。つまり、本体壁は、第１区画７２２と本体の外装面７３０との間の本体壁の第１部分に第１の厚さ７２８と、第２区画７２４と本体の外装面との間の本体壁の第２部分に第２の厚さ７３２とを有することができよう。別の実施例において、容器１１０の本体１１４は、より一定の厚さの本体壁を有して、図６に描かれる。本明細書に記載される実施形態はいずれも、変厚本体壁又は一定の厚さの本体壁のうちいずれかを含むことができよう。
【００８９】
本明細書には、キャップの複数の構成が記載されている。特に、容器８１０のキャップ８１２は、１つ以上のキャップ内突起８２２を有して、図２２〜図２４に描かれる。これらキャップ内突起は、容器８１０内に入れた銃弾の安定化を補助することができよう。このようなキャップ内突起は、本明細書に記載される実施形態のうちいずれかと組み合わせることができよう。特に、キャップ内突起は、１つ以上の銃弾を入れるよう構成することができる、容器１０、２１０、３１０、４１０、及び６１０に含ませることができよう。また、このようなキャップ内突起は、下方突起が容器内に入れるどのような物質も安定化することを補助することができるよう、容器１１０、５１０、及び７１０に含ませることができよう。
【００９０】
結論
１つ以上の容器の実施形態について、具体的に、図示し、記載したが、本開示では、多くの変形例を作ることが可能である。本開示は、特徴、機能、要素、及び／又は特性を様々組み合わせることを指示する１つ以上の独立した又は相関する実施形態を含むことができよう。特徴、機能、要素及び／又は特性の他の組み合わせ又は部分的組み合わせは、関連出願で後に特許請求の範囲とすることができよう。そのような変形例も、それらが異なる組み合わせを指示していたとしても、同一の組み合わせを指示していたとしても、又、範囲が異なる、広い、狭い、又は等しかったとしても、本開示の主題の範囲内に含むものとみなす。従って、前述の実施形態は、例証的なものであり、１つの特徴若しくは要素、又はその組み合わせは、本願又は後の出願で特許請求の範囲とすることができる容認可能な組み合わせ全てにとって、本質的なものではない。
【００９１】
本明細書に記す開示は、独立した有用性を有する複数の区別可能な発明を包含するものであると考える。それら発明は、それぞれ、その好ましい形態で開示されているが、本明細書に開示及び例証されるようなその特定の実施形態は、非常に多くの変形例を容認できるため、限定する趣旨で検討されるべきではない。各実施例は、前述の開示で開示される実施形態を定義するが、いずれか１つの実施例が、必ずしも、最終的に特許請求の範囲に係る全ての特徴又は組み合わせを包含しない。明細書で、要素に、「ａ」若しくは「第１の」又はこれらと同等の意味のものを付す場合、そのような記載は、その要素が、２つ以上であることを要する又は除外することなく、その要素が、１つ以上であることを含む。さらに要素を特定するための、第１、第２、又は第３などの序数文言は、要素を区別するために使用され、特段の断りのない限り、その要素の特定の位置又は順序を示すものではない。
【図１】
0006764406.tif 000002
【図２】
0006764406.tif 000003
【図３】
0006764406.tif 000004
【図４】
0006764406.tif 000005
【図５】
0006764406.tif 000006
【図６】
0006764406.tif 000007
【図７】
0006764406.tif 000008
【図８】
0006764406.tif 000009
【図９】
0006764406.tif 000010
【図１０】
0006764406.tif 000011
【図１１】
0006764406.tif 000012
【図１２】
0006764406.tif 000013
【図１３】
0006764406.tif 000014
【図１４】
0006764406.tif 000015
【図１５】
0006764406.tif 000016
【図１６】
0006764406.tif 000017
【図１７】
0006764406.tif 000018
【図１８】
0006764406.tif 000019
【図１９】
0006764406.tif 000020
【図２０】
0006764406.tif 000021
【図２１】
0006764406.tif 000022
【図２２】
0006764406.tif 000023
【図２３】
0006764406.tif 000024
【図２４】
0006764406.tif 000025